(57)【特許請求の範囲】
【請求項１】
被介助者の前方に位置させたテーブル部と、被介助者を端座位に保持するための端座位保持部とを備えた端座位保持テーブルにおいて、
前記端座位保持部には、
中央部が平面視でへの字形状を呈するように角部を構成し、正面視四隅に切り欠け部が形成されている背もたれ部と、
前記背もたれ部の幅方向両端部に、背もたれ部を支持するための背もたれ部支柱と、
被介助者を固定するための固定ベルトと、
を設け、
前記切り欠け部のうち、上側の切り欠け部は、上縁の位置が両端部にかけて段付きに下がり、かつ、被介助者の肩胛骨の下端が背もたれ部に当接するように位置しており、
前記テーブル部は、
天板部と、脚部と、天板部と脚部とを接続するテーブル支柱と、
前記背もたれ部支柱を取り付ける背もたれ部支柱取付部と、
を設けることを特徴とする端座位保持テーブル。
【請求項２】
前記背もたれ部支柱取付部は、前記背もたれ部支柱を回動可能に取り付けることを特徴とする請求項１に記載の端座位保持テーブル。
【請求項３】
前記背もたれ部は、前記支柱取付部に支柱が取り付けられた状態において、被介助者が左右・後方に倒れないように保持する角度を形成することとなる請求項１又は２に記載の端座位保持テーブル。
【請求項４】
前記天板部には、左右のスライド部がガイド部を介して対向して設けられ、
前記背もたれ部支柱取付部は、前記スライド部の一端側に設けられていることを特徴とする請求項１から３の何れか一項に記載の端座位保持テーブル。
【請求項５】
前記背もたれ部支柱は、前記背もたれ部支柱に設けられた支持ボス部を介して前記背もたれ部を支持しており、
前記テーブル部は、前記左右のガイド部を固定するテーブルフレーム部を更に設け、
前記テーブルフレーム部中央付近に、前記支持ボス部を保持することにより、前記端座位保持部を不使用時に収納する収納部を設けることを特徴とする請求項４に記載の端座位保持テーブル。
【請求項６】
前記左右のスライド部を、連結する連結フレーム部を更に設けることを特徴とする請求項４に記載の端座位保持テーブル。
【請求項７】
前記背もたれ部は、介助者が当該背もたれ部を把持するための把持部を更に備えることを特徴とする請求項１から６の何れか一項に記載の端座位保持テーブル。
【請求項８】
前記切り欠け部のうち、上側の切り欠け部は、被介助者の肩の可動域が確保される程度に形成されていることを特徴とする請求項１から７の何れか一項に記載の端座位保持テーブル。
【請求項９】
前記背もたれ部支柱は、上端が前記背もたれ部の上縁より下方にあることを特徴とする請求項１から８の何れか一項に記載の端座位保持テーブル。
【請求項１０】
中央部が平面視でへの字形状を呈するように角部を構成し、正面視四隅に切り欠け部が形成されている背もたれ部と、
前記背もたれ部の幅方向両端部に、背もたれ部を支持するための背もたれ部支柱と、
被介助者を固定するための固定ベルトと、
を設け、
前記切り欠け部のうち、上側の切り欠け部は、上縁の位置が両端部にかけて段付きに下がり、かつ、被介助者の肩胛骨の下端が背もたれ部に当接するように位置しており、
前記背もたれ部支柱を取り付ける背もたれ部支柱取付部を有する部材に、前記背もたれ部支柱を取り付けることを特徴とする端座位保持器具。
【発明の詳細な説明】
【技術分野】
【０００１】
本発明は、被介助者の前方に位置させたテーブル部と、被介助者を端座位に保持するための端座位保持部とを備えた端座位保持テーブル等に関する。
【背景技術】
【０００２】
病気や加齢等により要介助者の身体機能が低下することにより、自力で起き上がることのできないいわゆる寝たきり状態となってしまうことがある。しかし、要介助者を寝たきりの状態が続くと、更に身体機能が衰えてしまう。
【０００３】
ここで、テーブルと背もたれ部とが一体に構成され、背もたれ部に固定ベルトを用いて要介助者を固定することにより、端座位を保持するための端座位保持テーブルが知られている（例えば、特許文献１及び特許文献２参照）。
【０００４】
端座位保持テーブルは、背中全体を支える一般的な椅子と異なり、被介助者が端座位のときに、必要最低限の箇所が背もたれ部に当接されることにより、被介助者の姿勢を保持する。
【先行技術文献】
【特許文献】
【０００５】
【特許文献１】特開平６−７４００号公報
【特許文献２】登録実用新案第２５９４９９９号公報
【発明の概要】
【発明が解決しようとする課題】
【０００６】
ここで、従来の端座位保持テーブルは、要介助者を端座位に保持（固定）することを主目的としていた。したがって、要介助者の動きやすさが阻害されている点があった。例えば、背もたれ部が肩に当接することにより、要介助者の肩の可動域が制限されてしまい、被介助者の動きに応じて正しい姿勢が確保できないといった問題点が生じていた。
【０００７】
また、テーブルと背もたれ部とが一体に構成されており、要介助者を固定する場合、まず背もたれ部を開き、要介助者の周りに端座位保持テーブルを設置する。そして、背もたれ部を閉じ、背もたれ部中央にある金具で左右の背もたれ部を固定することとなる。この場合、介助者から、背もたれを固定する固定金具が見えなかったり、固定するためには要介助者の後ろ側に回り込む必要があったり等、介助者にとっても使い勝手の良いものとは言えなかった。
【０００８】
また、テーブルと背もたれ部とが一体となり構成されていることから、端座位保持テーブルがかなり大型となり、また、格納にも不便であると言った問題点もあった。特に、近年在宅介護により、一般家庭での利用を考えると、収納性に課題があり、使い勝手の良い器具とは言えなかった。
【０００９】
上述した課題に鑑み、本発明が目的とするところは、要介助者及び介助者にとって、使い勝手の良く、更に収納性の高い端座位保持テーブル等を提供することである。
【課題を解決するための手段】
【００１０】
上述した課題に鑑み、本発明の端座位保持テーブルは、
被介助者の前方に位置させたテーブル部と、被介助者を端座位に保持するための端座位保持部とを備えた端座位保持テーブルにおいて、
前記端座位保持部には、
中央部が平面視でへの字形状を呈するように角部を構成し、正面視四隅に切り欠け部が形成されている背もたれ部と、
前記背もたれ部の幅方向両端部に、背もたれ部を支持するための背もたれ部支柱と、
被介助者を固定するための固定ベルトと、
を設け、
前記切り欠け部のうち、上側の切り欠け部は、上縁の位置が両端部にかけて段付きに下がっており、
前記テーブル部は、
天板部と、脚部と、天板部と脚部とを接続するテーブル支柱と、
前記背もたれ部支柱を取り付ける背もたれ部支柱取付部と、
を設けることを特徴とする。
【００１１】
また、本発明の端座位保持テーブルにおいて、前記背もたれ部支柱取付部は、前記背もたれ部支柱を回動可能に取り付けることを特徴とする。
【００１２】
また、本発明の端座位保持テーブルにおいて、前記背もたれ部は、前記支柱取付部に支柱が取り付けられた状態において、被介助者が左右・後方に倒れないように保持する角度を形成することとなることを特徴とする。
【００１３】
また、本発明の端座位保持テーブルは、前記天板部には、左右のスライド部がガイド部を介して対向して設けられ、前記背もたれ部支柱取付部は、前記スライド部の一端側に設けられていることを特徴とする。
【００１４】
また、本発明の端座位保持テーブルにおいて、前記背もたれ部支柱は、前記背もたれ部支柱に設けられた支持ボス部を介して前記背もたれ部を支持しており、前記テーブル部は、前記左右のガイド部を固定するテーブルフレーム部を更に設け、前記テーブルフレーム部中央付近に、前記ボス部を保持することにより、前記端座位保持部を不使用時に収納する収納部を設けることを特徴とする。
【００１５】
また、本発明の端座位保持テーブルは、前記左右のスライド部を、連結する連結フレーム部を更に設けることを特徴とする。
【００１６】
また、本発明の端座位保持テーブルにおいて、前記背もたれ部は、介助者が当該背もたれ部を把持するための把持部を更に備えることを特徴とする。
また、本発明の端座位保持テーブルにおいて、前記切り欠け部のうち、上側の切り欠け部は、被介助者の肩の可動域が確保される程度に形成されていることを特徴とする。
また、本発明の端座位保持テーブルにおいて、前記背もたれ部支柱は、上端が前記背もたれ部の上縁より下方にあることを特徴とする。
【００１７】
本発明の端座位保持器具は、
中央部が平面視でへの字形状を呈するように角部を構成し、正面視四隅に切り欠け部が形成されている背もたれ部と、
前記背もたれ部の幅方向両端部に、背もたれ部を支持するための背もたれ部支柱と、
被介助者を固定するための固定ベルトと、
を設け、
前記切り欠け部のうち、上側の切り欠け部は、上縁の位置が両端部にかけて段付きに下がっており、
前記背もたれ部支柱を取り付ける背もたれ部支柱取付部を有する部材に、前記背もたれ部支柱を取り付けることを特徴とする。
【発明の効果】
【００１８】
本発明によれば、テーブル部と、端座位保持部とを備えた端座位保持テーブルにおいて、前記端座位保持部には、中央部が平面視でへの字形状を呈するように角部を構成し、正面視四隅に切り欠け部が形成されている背もたれ部と、前記背もたれ部の幅方向両端部に、背もたれ部を支持するための背もたれ部支柱と、被介助者を固定するための固定ベルトと、を設け、前記テーブル部は、天板部と、脚部と、天板部と脚部とを接続するテーブル支柱と、前記背もたれ部支柱を取り付ける背もたれ部支柱取付部と、を設けることとなる。したがって、背もたれ部の正面視四隅に切り欠け部が形成されていることから、例えば、上側の切り欠け部により、被介助者の肩関節の可動域が制限されることがなくなる。また、下側の切り欠け部により、介助者が、被介助者の姿勢を容易に把握することが可能となる。
【図面の簡単な説明】
【００１９】
【図１】本実施形態における端座位保持テーブルの斜視図である。
【図２】本実施形態における端座位保持テーブルの正面図である。
【図３】本実施形態における端座位保持テーブルの左側面図である。
【図４】本実施形態における端座位保持器具部を説明するための図である。
【図５】本実施形態における端座位保持テーブルの状態を説明するための図である。
【図６】本実施形態における端座位保持テーブルの収納状態を説明するための図である。
【図７】本実施形態における端座位保持テーブルの収納状態を説明するための図である。
【図８】本実施形態における端座位保持テーブルの実施例（使用例）を説明するための図である。
【図９】本実施形態における端座位保持テーブルの実施例（使用例）を説明するための図である。
【図１０】本実施形態における端座位保持テーブルの実施例（使用例）を説明するための図である。
【図１１】本実施形態における端座位保持テーブルの変形例を説明するための図である。
【図１２】本実施形態における端座位保持テーブルの変形例を説明するための図である。
【発明を実施するための形態】
【００２０】
以下、図面を参照して本発明を実施するための最良の形態について説明する。本発明は、添付図面に示された形態に限定されず特許請求の範囲に記載の要件を満たす実施形態の総てを含むものである。なお、本実施形態においては、背もたれ部が備えられた方向を後方、テーブル板部の方向が前方、前方に向かって左側を左方、前方に向かって右側を右方とし、前方から見た図を正面図とする。
【００２１】
［１．構成の説明］
図１から図３は、本発明の実施の形態にかかる端座位保持テーブル１の構成を説明する為の図である。図１は左前方から見た斜視図であり、図２は正面図、図３は左側面図である。
【００２２】
端座位保持テーブル１は、大きく分けると、端座位保持器具部３と、テーブル部５とを備えて構成されている。
【００２３】
［１．１  端座位保持器具部］
端座位保持器具部３は、被介助者の背部の一部に当接させることにより、被介助者の端座位の姿勢を保持させるための器具である。ここで、図４に端座位保持器具部３を示す。図４（ａ）は、端座位保持器具部３を１８０度に開き、背面方向から見た図であり、図４（ｂ）は、端座位保持器具部３を平面視した図である。
【００２４】
端座位保持器具部３は、背もたれ部１０に、固定ベルト１２と、幅方向両端部に背もたれ部１０を支持する背もたれ部支柱１４とを備えて構成されている。
【００２５】
背もたれ部１０は、背もたれ板１０２が、背もたれ板連結部１０４を介して屏風状に開閉可動できるように連結されている。また、背もたれ部支柱１４が、テーブル部５に固定された場合、平面視への字形状を形成する。ここで、背もたれ板１０２がテーブル部５に固定された場合に形成される角度θは、被介助者が、左右・後方に倒れないよう保持する角度であり、本実施形態においては、一例として略９０度としている。そして、背もたれ板１０２全体を、軟らかいクッションやスポンジ等の緩衝剤で覆い、ビニールレザー等により、外見視一体に形成されている。
【００２６】
背もたれ部１０（背もたれ板１０２）は、四隅に切り欠け部が形成されており、上側に切り欠け部１０６ａが、下側に切り欠け部１０６ｂがそれぞれ形成されている。上側の切り欠け部１０６ａにより、被介助者の肩の可動域が確保されることとなり、背もたれ部１０が被介助者を支持可能な程度（例えば、被介助者の肩胛骨の下端が背もたれ部１０に当接する程度）切り欠くことが可能である。
【００２７】
また、下側の切り欠け部１０６ｂにより、被介助者の端座位の状態（腰位置や骨盤の後傾等）を介助者に視認しやすくすることができる。下側の切り欠け部１０６ｂは、背もたれ部１０が被介助者を支持可能な程度（例えば、被介助者の骨盤の上端が背もたれ部１０に当接する程度）切り欠くことが可能である。
【００２８】
また、背もたれ部１０は、背もたれ部１０を介助者が把持するための把持部１０８を備えている。把持部を利用することにより、介助者は背もたれ部１０を容易に回動させることが可能となる。
【００２９】
固定ベルト１２は、被介助者の姿勢を保持（固定）するためのベルトであり、端座位保持器具部３の背面上部から正面を回り、再度背面下部に回り込むように装着されている。固定ベルト１２は、両端が固定ベルト固定部１２４により固定されており、背もたれ部１０が緩衝剤により覆われている場合は、緩衝材を切り欠いて形成された固定ベルト穴１２２を通ることとなる。
【００３０】
背もたれ部支柱１４は、背もたれ部１０を支持するための支柱であり、支持ボス部１４２を介して背もたれ部１０に設けられている。また、背もたれ部支柱１４の下端には、上下にフランジのある筒状体である背もたれ部支柱取付器具１４６が設けられている。
【００３１】
［１．２  テーブル部］
テーブル部５は、左右に離間するテーブル支柱２６の上端に天板２０が、下端に脚部２８が設けられている。天板２０には、被介助者の肘を当接させるための肘当て部２０２を設けている。肘当て部２０２の部材として、緩衝部材を用いることにより、被介助者の圧迫感を軽減することができる。なお、この肘当て部２０２は着脱可能である。
【００３２】
また、本実施形態における天板２０は、後面に半円形状の切り欠け部を形成している。被介助者の端座位を保持する場合に、天板２０により被介助者の腹部や胸部を圧迫させないためである。
【００３３】
天板２０の下面には、先端に背もたれ部支柱取付部２１を設けたスライド部２１２が、ガイド部２１４を介して左右に対向して設けられている。スライド部２１２は、ガイド部２１４に嵌合し、前後に摺動可能となっている。これにより、端座位保持器具部３の前後方向の位置決めが可能となる。さらに、スライド固定部２１６により、スライド部２１２の位置が固定され、端座位保持器具部３の位置も固定されることとなる。例えば、スライド部２１２に複数の孔を設け、所定の孔にスライド固定部２１６を挿通することにより、スライド部２１２を固定する。
【００３４】
背もたれ部支柱取付部２１は、上方向から、背もたれ部支柱取付器具１４６が装着して取り付けられる。また、背もたれ部支柱取付部２１を装着時に、固定ねじ２１０を、背もたれ部支柱取付器具１４６の上下のフランジ間に螺入することにより、回動可能に、かつ、上下方向に脱着しないように装着される。
【００３５】
図５は、左右の背もたれ部支柱１４のうち、一方（左側）のみを回動可能に係止した状態を表した図である。係止された背もたれ部支柱１４を中心に、端座位保持器具部３は回動可能となる。この状態で、被介助者を、テーブル部５の後ろに配置し、他方の背もたれ部支柱１４を係止する。すなわち、他方の背もたれ部支柱取付器具１４６を、背もたれ部支柱取付部２１に装着し（支柱取付部２１に形成された装着穴に、背もたれ部支柱取付器具１４６を挿入）、背もたれ部１０が被介助者に当接され、固定ベルト１２と合わせることにより被介助者の端座位の姿勢が保持されることとなる。
【００３６】
天板固定機構２２は、天板２０を固定するための器具である。天板固定機構２２を操作することにより、天板２０は水平状態（使用時）に固定されたり、起立状態（収納時）に固定されたりする。
【００３７】
左右のテーブル支柱２６の間には、テーブルフレーム部２４４が設けられている。テーブルフレーム部２４４の両端と、左右のテーブル支柱２６の上端とが接続されている。ここで、テーブルフレーム部２４４の中央部には、収納部２４が設けられている。収納部２４は、支持ボス部１４２を係止可能な切り欠け部２４２が形成されている。
【００３８】
すなわち、端座位保持器具部３を折り畳んだ状態で、支持ボス部１４２を、切り欠け部２４２に係止することにより、端座位保持器具部３を収納することができる。
【００３９】
テーブル支柱２６は、昇降機構を利用して、上部側を昇降可能に構成しており、このような機構の一例としては、例えば、ガススプリング式や、電動式、ねじ式等の機構が利用されている。例えば、本実施形態の場合、上側テーブル支柱２６２が、下側テーブル支柱２６４に嵌合し、上側テーブル支柱２６２には複数の孔が形成されている。そして、位置決め部２６６を操作することにより、位置決め部２６６が高さを固定するための孔に挿通されることにより、テーブル支柱２６が固定される。
【００４０】
脚部２８には、前ローラ２８２と、後ローラ２８４が装着されており、端座位保持テーブル１が移動可能にすることができる。また、前ローラ２８２は、ロック機構を有しており、ローラをロックすることができる。前ローラ２８２をロックすることにより、端座位保持テーブル１の移動は固定され、被介助者を安定して保持することができる。
【００４１】
［２．収納方法］
次に、端座位保持テーブル１を不使用時に収納する場合の一例について、図６及び７を用いて説明する。
【００４２】
まず、テーブル部５は、天板２０が水平状態（点線）から、起立状態（実線）に遷移する様子を表したテーブル部５の右側面図である。使用時には、天板２０は水平状態であるが、不使用時に端座位保持テーブル１を収納する場合には、天板固定機構２２を操作することにより、天板２０を起立状態にし（すなわち、天板固定機構２２を中心に矢印Ｍ方向に回動させ）、収納することが可能となる。
【００４３】
また、合わせて収納部２４を利用することにより、不使用時に端座位保持器具部３を収納することが可能である。この端座位保持器具部３を収納した状態を示したのが図７である。まず、端座位保持器具部３の背もたれ部１０を、固定ベルト１２で折り畳んだ状態に固定する。そして、支持ボス部１４２を、切り欠け部２４２を利用して係止することにより、端座位保持器具部３は、収納された状態となる。
【００４４】
［３．実施例］
端座位保持テーブル１を使用した場合の実施例を、図８から図１０を用いて説明する。図８（正面図）及び図９（左側面図）は、被介助者Ｐが、ベッドＢに着座（端座位）した状態を示す図である。被介助者Ｐは、背中が背もたれ部１０に当接され、固定ベルト１２により上体が固定されている。このとき、切り欠け部１０６ａが形成されていることから、被介助者Ｐの肩関節の可動域が制限されることが無くなる。したがって、被介助者Ｐに対するリバビリ効果の向上や、安全性の向上の効果を奏することとなり、より正しい姿勢を確保することができる。
【００４５】
また、図８の正面図に示すように、切り欠け部１０６ａが形成されていることにより、正面から背もたれ部１０は最小限しか視認されない。すなわち、背もたれ部１０が、被介助者Ｐにより目立たず、被介助者Ｐが、背もたれ部１０に拘束されているような印象を与えないといった効果も奏する。
【００４６】
さらに、切り欠け部１０６ｂにより、介助者が、被介助者Ｐの腰位置を視認しやすくなり、被介助者Ｐが正しい姿勢で着座しているかを判断しやすくなる。特に、介助者は、通常起立状態であるため、上方から視認した場合、切り欠け部１０６ｂにより、より視認しやすいといった効果を奏する。
【００４７】
図１０は、被介助者Ｐに対して端座位保持テーブル１を用いて端座位を保持させる場合について説明するための図である。被介助者Ｐが、ベッドＢ上で端座位の姿勢となったときに、被介助者Ｐの前方から端座位保持テーブル１を配置する。
【００４８】
このとき、端座位保持器具部３のうち、一方の背もたれ部支柱取付器具１４６を背もたれ部支柱取付部２１に装着して回動可能に取り付ける。そして、被介助者Ｐの位置を決めたあと、端座位保持器具部３を、Ｃ方向に回動させ、他方の背もたれ部支柱取付器具１４６を背もたれ部支柱取付部２１に装着して固定する。これにより、介助者は、介助者側に取り付けられている背もたれ部支柱取付部２１を操作するだけで、端座位保持器具部３を固定することができる。
【００４９】
以上、この発明の実施形態について図面を参照して詳述してきたが、具体的な構成はこの実施形態に限られるものではなく、この発明の要旨を逸脱しない範囲の設計等も特許請求の範囲に含まれる。
【００５０】
上述した実施形態においては、天板２０が起立し、収納部２４に端座位保持器具部３を収納することとして説明したが、これによりスタッキング性を向上させることが可能であるが、１台や２台程度の場合、更に収納性を向上させるために、例えば、脚部２８を折り畳んだり、伸縮可能な部材を用たりといったことも可能である。
【００５１】
具体的には、図１１に示すように、脚部２８は、折り畳み機構２９を備える構成とする。そして、折り畳み機構２９により、脚部２８が折り畳まれ、より収納性が高い端座位保持テーブルを提供することが可能となる。特に、被介助者の端座位を安定して保持するためには、脚部長を長く確保する必要があるため、収納時に折り畳むことにより、収納性は更に向上する。なお、図面では脚部２８を折り畳む方法について説明したが、脚部２８を伸縮させることにより、収納時には脚部２８を短くさせるといった方法でもよい。
【００５２】
また、上述した実施形態においては、左右のスライド部２１２が独立して動く構成として説明したが、左右連動させる構成としても良い。例えば、一例として天板２０を底面視した図を図１２に示す。ここで、左右のスライド部２１２は、連結フレーム部２１２ａにより連結される。そして、天板部２０及び連結フレーム部２１２ａに設けられたスライド部位置決め機構２９０により、連結フレーム部２１２ａを介して左右のスライド部２１２が前後に摺動する。そして、所定の位置において、位置決め機構２９０により、スライド部２１２の位置が決まり、固定される。
【００５３】
スライド部位置決め機構２９０は、例えば連結フレーム部２１２ａに接続された連接板の複数の位置に孔を設けており、レバー操作により、固定部材が当該孔に挿通されることにより、連結フレーム２１２ａ、左右のスライド部２１２が固定されることとなる。
【００５４】
このように、介助者はスライド部位置決め機構２９０を操作するのみで、端座位保持器具部３（背もたれ部１０）と、テーブル部５（天板２０）との間隔を調整することが可能となる。
【００５５】
また、上述した端座位保持器具部３における背もたれ部１０は、背もたれ板１０２を２枚合わせて形成されるとして説明したが、中央部が折り曲げ可能な一つの部材で構成されていても良いし、図１０のように、外見上も２枚の板で構成されていても良い。
【００５６】
また、上述した端座位保持器具部３は、テーブル部５に取り付けられることとして説明したが、端座位保持器具部３を取付可能な部材であれば、当該部材はテーブル形状に限定されないことは勿論である。
【符号の説明】
【００５７】
１  端座位保持テーブル
３  端座位保持器具部
１０  背もたれ部
１０２  背もたれ板
１０４  背もたれ板連結部
１０６ａ、１０６ｂ  切り欠け部
１０８  把持部
１２  固定ベルト
１２２  固定ベルト穴
１２４  ベルト固定部
１４  背もたれ部支柱
１４２  支持ボス部
１４６  背もたれ部支柱取付器具
５  テーブル部
２０  天板
２０２  肘当て部
２１  背もたれ部支柱取付部
２１０  固定ねじ
２１２  スライド部
２１２ａ  連結フレーム部
２１４  ガイド部
２１６  スライド固定部
２２  天板固定機構
２４  収納部
２４２  切り欠け部
２４４  テーブルフレーム部
２６  テーブル支柱
２６２  上側テーブル支柱
２６４  下側テーブル支柱
２８  脚部
２８２  前ローラ
２８４  後ろローラ
２９  折り畳み機構
２９０  位置決め機構
Ｂ  ベッド
Ｐ  被介助者
【図１】
0005580006.tif 000002
【図２】
0005580006.tif 000003
【図３】
0005580006.tif 000004
【図４】
0005580006.tif 000005
【図５】
0005580006.tif 000006
【図６】
0005580006.tif 000007
【図７】
0005580006.tif 000008
【図８】
0005580006.tif 000009
【図９】
0005580006.tif 000010
【図１０】
0005580006.tif 000011
【図１１】
0005580006.tif 000012
【図１２】
0005580006.tif 000013